(57)【要約】【課題】ユーザビリティに富んだ回線制御を行うことができる回線制御方法及び回線制御装置及び回線制御装置の制御プログラム及び記憶媒体を提供する。【解決手段】回線制御部１０７１により、回線に別名称を設定し、回線の選択情報を表示し、回線を選択するように制御する。【選択図】　　　図１
2004056731.tif 000002
【特許請求の範囲】
【請求項１】
データを送信するために使用する回線に名称を付けて制御する回線制御方法であって、
回線に別名称を設定する回線別名称設定工程と、
回線の選択情報を表示する回線選択表示工程と、
回線を選択する回線選択工程とを有することを特徴とする回線制御方法。
【請求項２】
前記回線別名称設定工程は、
回線別名称を設定するためのユーザインタフェースを提供する回線別名称設定画面表示工程と、回線に別名称を設定処理する回線別名称設定処理工程と、前記回線別名称設定処理工程により回線に別名称が設定処理されたか否かを判定する回線別名称設定判定工程と、前記回線別名称設定判定工程により前記回線に別名称が設定処理されたと判定された場合に当該設定処理された回線別名称を保存する回線別名称保存工程とを有し、
前記回線選択表示工程は、各回線に対しての別名称に関する情報を確認する回線別名称情報確認工程と、回線に別名称が登録されているか否かを判定する回線別名称登録判定工程と、前記回線別名称登録判定工程により回線別名称が登録されていると判定された場合に当該登録されている回線別名称情報を取得する回線別名称取得工程と、デフォルトの回線名称を前記回線別名称設定処理工程により設定処理された回線別名称に置き換える回線別名称置換工程と、前記回線別名称置換工程により置き換えられた回線名称と先の回線別名称登録判定工程において回線別名称が登録されていないと判定された場合のデフォルトの回線名称とを表示する回線名称表示工程とを有し、
前記回線選択工程は、前記回線名称表示工程により表示された回線名称から使用する回線を選択処理する回線選択処理工程と、前記回線選択処理工程により選択処理された回線の登録情報を取得する選択回線登録情報取得工程と、前記回線選択処理工程により選択処理された回線が別名称か否かを判定する選択回線種別判定工程と、前記回線選択処理工程により選択処理された回線名称が別名称であると前記選択回線種別判定工程により判定された場合に使用する回線を確定する選択回線判別工程とを有することを特徴とする請求項１記載の回線制御方法。
【請求項３】
データを送信するために使用する回線に名称を付けて制御する回線制御装置であって、
回線に別名称を設定する回線別名称設定手段と、
回線の選択情報を表示する回線選択表示手段と、
回線を選択する回線選択手段とを有することを特徴とする回線制御装置。
【請求項４】
前記回線別名称設定手段は、
回線別名称を設定するためのユーザインタフェースを提供する回線別名称設定画面表示手段と、回線に別名称を設定処理する回線別名称設定処理手段と、前記回線別名称設定処理手段により回線に別名称が設定処理されたか否かを判定する回線別名称設定判定手段と、前記回線別名称設定処理手段により前記回線に別名称が設定処理されたと前記回線別名称設定判定手段により判定された場合に当該設定処理された回線別名称を保存する回線別名称保存手段とを有し、
前記回線選択表示手段は、各回線に対しての別名称に関する情報を確認する回線別名称情報確認手段と、回線に別名称が登録されているか否かを判定する回線別名称登録判定手段と、前記回線別名称登録判定手段により回線別名称が登録されていると判定された場合に当該登録されている回線別名称情報を取得する回線別名称取得手段と、デフォルトの回線名称を前記回線別名称設定処理手段により設定処理された回線別名称に置き換える回線別名称置換手段と、前記回線別名称置換手段により置き換えられた回線名称と先の回線別名称登録判定手段において回線別名称が登録されていないと判定された場合のデフォルトの回線名称とを表示する回線名称表示手段とを有し、
前記回線選択手段は、前記回線名称表示手段により表示された回線名称から使用する回線を選択処理する回線選択処理手段と、前記回線選択処理手段により選択処理された回線の登録情報を取得する選択回線登録情報取得手段と、前記回線選択処理手段により選択処理された回線が別名称か否かを判定する選択回線種別判定手段と、前記回線選択処理手段により選択処理された回線名称が別名称であると前記選択回線種別判定手段により判定された場合に使用する回線を確定する選択回線判別手段とを有することを特徴とする請求項３記載の回線制御装置。
【請求項５】
データを送信するために使用する回線に名称を付けて制御する回線制御装置を制御するためのコンピュータ読み取り可能な制御プログラムであって、
回線に別名称を設定する回線別名称設定工程と、回線の選択情報を表示する回線選択表示工程と、回線を選択する回線選択工程とをコンピュータに実行させるためのプログラムコードから成ることを特徴とする回線制御装置の制御プログラム。
【請求項６】
前記回線別名称設定工程は、
回線別名称を設定するためのユーザインタフェースを提供する回線別名称設定画面表示工程と、回線に別名称を設定処理する回線別名称設定処理工程と、前記回線別名称設定処理工程により回線に別名称が設定処理されたか否かを判定する回線別名称設定判定工程と、前記回線別名称設定判定工程により前記回線に別名称が設定処理されたと判定された場合に当該設定された回線別名称を保存する回線別名称保存工程とを有し、
前記回線選択表示工程は、各回線に対しての別名称に関する情報を確認する回線別名称情報確認工程と、回線に別名称が登録されているか否かを判定する回線別名称登録判定工程と、前記回線別名称登録判定工程により回線別名称が登録されていると判定された場合に当該登録されている回線別名称情報を取得する回線別名称取得工程と、デフォルトの回線名称を前記回線別名称設定判定工程により設定処理された回線別名称に置き換える回線別名称置換工程と、前記回線別名称置換工程により置き換えられた回線名称と先の回線別名称登録判定工程において回線別名称が登録されていないと判定された場合のデフォルトの回線名称とを表示する回線名称表示工程とを有し、
前記回線選択工程は、前記回線名称表示工程により表示された回線名称から使用する回線を選択処理する回線選択処理工程と、前記回線選択処理工程により選択処理された回線の登録情報を取得する選択回線登録情報取得工程と、前記回線選択処理工程により選択処理された回線が別名称か否かを判定する選択回線種別判定工程と、前記回線選択処理工程により選択処理された回線名称が別名称であると前記選択回線種別判定工程により判定された場合に使用する回線を確定する選択回線判別工程とを有することを特徴とする請求項５記載の回線制御装置の制御プログラム。
【請求項７】
請求項５及び６記載の制御プログラムを格納したことを特徴とする記憶媒体。
【発明の詳細な説明】
【０００１】
【発明の属する技術分野】
本発明は、データを送信するために使用する回線に名称を付けて制御する回線制御方法及び回線制御装置及び回線制御装置の制御プログラム及び記憶媒体に関する。
【０００２】
【従来の技術】
従来のこの種の回線制御における回線の別名称に関しては、例えば、図８に示すように回線１〜回線ｎが、送信機能を有する送信元印刷装置の物理的な回線１〜回線ｎと１対１の関係である場合に、
（１）図８に示すように予め回線１〜回線ｎが用意されている。
【０００３】
（２）図１１に示すように回線１〜回線ｎと、更には、回線ｘ（ｘは、１〜ｎ）に予め外線１、外線２及び内線１といった固定的な別名称が用意されている。
【０００４】
【発明が解決しようとする課題】
しかし、上述した従来の技術においては、予め用意された名称を使用することはできるが、別名称を任意に物理的な回線と結び付けることはできない。
【０００５】
また、上記（２）の場合には、例えば、送信元印刷送信の回線１用スロットにＩＳＤＮボード、回線２用スロットにＰＳＴＮ＊１（公衆回線）ボードが装着されている場合に、外線１が回線１用の別名称で、内線１が回線２用の別名称であると予め定義する必要がある。このため、内線１用にはＩＳＤＮボードを利用しようとする場合には、送信元印刷装置の回線１用スロットに装着されているＩＳＤＮボードを、回線２用スロットに装着しなおす必要がある。
【０００６】
本発明は上記従来技術の有する問題点を解消するためになされたもので、その目的は、ユーザビリティに富んだ回線制御方法及び回線制御装置及び回線制御装置の制御プログラム及び記憶媒体を提供することにある。
【０００７】
【課題を解決するための手段】
上記目的を達成するために本発明の回線制御方法は、データを送信するために使用する回線に名称を付けて制御する回線制御方法であって、回線に別名称を設定する回線別名称設定工程と、回線の選択情報を表示する回線選択表示工程と、回線を選択する回線選択工程とを有することを特徴とする。
【０００８】
また、上記目的を達成するために本発明の回線制御装置は、データを送信するために使用する回線に名称を付けて制御する回線制御装置であって、回線に別名称を設定する回線別名称設定手段と、回線の選択情報を表示する回線選択表示手段と、回線を選択する回線選択手段とを有することを特徴とする。
【０００９】
また、上記目的を達成するために本発明の回線制御装置の制御プログラムは、データを送信するために使用する回線に名称を付けて制御する回線制御装置を制御するためのコンピュータ読み取り可能な制御プログラムであって、回線に別名称を設定する回線別名称設定工程と、回線の選択情報を表示する回線選択表示工程と、回線を選択する回線選択工程とをコンピュータに実行させるためのプログラムコードから成ることを特徴とする。
【００１０】
更に、上記目的を達成するために本発明の記憶媒体は、前記制御プログラムを格納したことを特徴とする。
【００１１】
【発明の実施の形態】
以下、本発明の一実施の形態を、図面に基づき説明する。
【００１２】
図１は、本発明の一実施の形態に係る回線制御装置を有する印刷システムの構成を示すブロック図であり、この印刷システムは、クライアント・コンピュータ１００と、第一及び第二の印刷装置２００，３００と、それらを接続する第一及び第二の通信回線４００，５００とから構成されている。
【００１３】
クライアント・コンピュータ１００は、表示部１０１と、入力部１０２と、入出力データ制御部１０３と、インタフェース制御部１０４と、記憶媒体読取部１０５と、記憶部１０６と、データ制御部１０７と、このデータ制御部１０７の中に位置する回線制御部１０７１と、情報管理ＤＢ１０７２と、クライアント・コンピュータ１００全体の動作を制御する中央演算処理部１０８と、これらを接続するシステム・バス１０９とを備えている。
【００１４】
表示部１０１は、ＣＲＴ（陰極線管）ディスプレイ、液晶ディスプレイ等の表示デバイスである。入力部１０２は、キーボードやマウス等のポインティング・デバイスである。入出力データ制御部１０３は、入出力データを制御するものである。インタフェース制御部１０４は、インタフェースを制御するものである。記憶媒体読取部１０５は、ＦＤ（フロッピー（登録商標）・ディスク）、ＣＤ−ＲＯＭ、ＲＯＭ、ＤＶＤ、磁気テープ等の記録媒体に記録されたプリンタドライバ、ソフトキャリブレーション等のプログラムや画像データ等を読み取ることができる。記憶部１０６は、プログラム等を格納するものである。データ制御部１０７は、クライアント・コンピュータ１００内の印刷データの一部を形成する回線指定に対する回線別名称設定処理機能、回線選択表示処理機能、回線選択処理機能を有する回線制御部１０７１及びそのための情報管理ＤＢ１０７２を有している。データ制御部１０７は、Ｆａｘ（ファクス）のように宛先指定機能を持つプリンタドライバである。プリンタドライバとは、クライアント・コンピュータ１００上に常駐しているオペレーティング・システムと第一の印刷装置２００との間において、アプリケーション等で生成された印刷データをプリンタに応じて加工すると共に、第一の印刷装置２００を制御するプログラムであり、記憶部１０６或いは記憶媒体読取部１０５で読み取られる記憶媒体上に格納されている。ここで、プリンタドライバが形成する印刷データにおいて、その一部に任意の回線を指定した制御コマンドを有しているものとする。
【００１５】
一方、第一及び第二の印刷装置２００，３００は、それぞれ印刷装置全体を制御するコントローラ部２０１，３０１と、印刷処理するエンジン部２０２，３０２とを備え、且つ印刷データを受け取り、これをファクシミリ用の画像データに変換してファクシミリの手順により送受信することが可能なファクス機能を備えている。
【００１６】
また、第一の印刷装置２００は、複数回線を利用可能なファクスボードを装着できる機能を有しており、本実施の形態では、その一例として、ｎ個のファクスボードが装着され、ｎ回線利用できる状態を有しているものとする。
【００１７】
第一の通信回線４００は、通常のＬＡＮ（ローカルエリアネットワーク）若しくはＩＥＥＥ１３９４やＵＳＢといった双方向シリアルインタフェース等である。
【００１８】
また、第二の通信回線５００は、通常のＰＳＴＮ、ＩＳＤＮといったＦａｘ（ファクス）機能を実現するためのインターフェースである。
【００１９】
記憶媒体読取部１０５は、ＦＤ（フロッピー（登録商標）・ディスク）、ＣＤ−ＲＯＭ、ＲＯＭ、ＤＶＤ、磁気テープ等の記録媒体に記録されたプリンタドライバ、ソフトキャリブレーション等のプログラムや画像データ等を読み取ることができる。
【００２０】
次に、回線に別名称を付けて、回線を制御する際のデータ制御部１０７の原理動作について、図２を用いて説明する。
【００２１】
図２は、データ制御部１０７の原理動作の流れを示すフローチャートである。
【００２２】
図２において、まず、ステップＳ２０１でデータ制御部１０７に対して、印刷データを形成するための処理を指示する入力処理を行う。次に、ステップＳ２０２で回線別名称設定処理を伴った印刷処理を行った後、本処理動作を終了する。
【００２３】
前記ステップＳ２０２における印刷処理は、回線別名称設定処理を行うステップＳ２０２１と、回線選択表示処理を行うステップＳ２０２２と、回線選択処理を行うステップＳ２０２３と、印刷データを形成する通常の印刷処理（宛先指定、データ形成等）を行うステップＳ２０２４とから成る。
【００２４】
尚、図２において、１０７３は登録ファイルで、情報管理ＤＢ１０７２内に存在している。
【００２５】
図３は、図２における回線別名称設定処理ステップＳ２０２１を詳細に示すフローチャート、図４は、図２における回線選択表示処理ステップＳ２０２２を詳細に示すフローチャート、図５は、図２における回線選択処理ステップＳ２０２３を詳細に示すフローチャート、図６は、データ制御部１０７の中の回線制御部１０７１によって制御され且つデータ制御部１０７の中で利用される情報管理ＤＢ１０７２に格納されているマトリックスの一例を示す図である。
【００２６】
また、図７〜図１０は、本発明が適用されたユーザインタフェースの一例を示す図である。
【００２７】
図７は、回線選択ユーザインタフェースの一例を示す図であり、同図に示すように、本実施の形態においては、回線１〜ｎ迄のｎ個の回線が選択可能であり、それぞれが第一の印刷装置２００の物理的な回線１〜ｎと、１対１で対応付けられている。
【００２８】
図８は、本実施の形態と従来例とを兼ねた回線別名称を設定していない状態での回線選択リスティングの一例を示す図である。
【００２９】
図９は、本実施の形態に係る回線制御装置における回線別名称を設定するためのユーザインタフェースの一例を示す図である。
【００３０】
図１０は、本実施の形態に係る回線制御装置における回線別名称を設定した後の回線選択リスティングの一例を示す図である。
【００３１】
図１１は、従来例の回線固定別名称が設定されている状態での回線選択リスティングの一例を示す図である。
【００３２】
ここで、回線１〜ｎ迄のｎ個の回線は、前記した図７と同じであり、更に、図１１では、予め回線１用の別名称として外線１、回線２用の別名称として外線２、回線３用の別名称として内線１が定義されており、これは、例えば、外線１を選択した場合には、回線１を選択した場合と同等の機能を果たすことを意味する。つまり、図７の例とは異なり、第一の印刷装置２００の物理的な回線とは、多（複数）対１の関係を保持している。
【００３３】
次に、このように構成された本実施の形態に係る回線制御装置の動作について、図１〜図１１を参照しながら説明する。
【００３４】
まず、図１におけるクライアント・コンピュータ１００の表示部１０１、入力部１０２より、回線に対する別名称設定及び送信機能を有する送信元である第一印刷装置２００に対する送信指示の入力操作が行われる（図２のステップＳ２０１）。
【００３５】
次に、図２のステップＳ２０２１である回線別名称設定処理として、第１の印刷装置２００の回線に対して、別名称を設定する方法を図３を用いて説明する。
【００３６】
図７及び図９にその一例を示す通り、まず、図７の回線選択に対して、回線別名称設定ボタン７０１を押下することにより、図９にその一例を示す通り、回線に別名称を設定するための設定画面を表示する（図３のステップＳ３０１）。
【００３７】
続いて、図９に示すように、第一の印刷装置２００における回線１〜ｎに対して、任意の名称を設定する（図３のステップＳ３０２）。本実施の形態では、回線２、回線３に対して、それぞれ＜外線用＞、＜内線用＞という別名称を設定し、その確定を実現するために、図９における［ＯＫ］ボタン９０１を押下するものとする。
【００３８】
尚、ここで図９の［キャンセル］ボタン９０２を押下すれば、設定した別名称がキャンセルされることは言うまでもない。
【００３９】
次に、回線に対して別名称が設定されたか否かを判定し（図３のステップＳ３０３）、設定されたと判定された場合は、設定した回線別名称に関する情報を、情報管理ＤＢ１０７２内の登録ファイル１０７３に登録する（図３のステップＳ３０４）。この登録処理が終了した場合、或いは前記ステップＳ３０３において、設定されないと判定された場合は、いずれも本処理動作（図２のステップＳ２０２１）を終了する。
【００４０】
登録ファイル１０７３の一例を図６に示す。
【００４１】
本実施の形態では、登録ファイル１０７３は、第二の印刷装置２００の回線とその別名称とから構成されており、先に図３のステップＳ３０２において設定したように、回線２には、その別名称として“外線用”、回線３には、その別名称として“内線用”という別名称がそれぞれ設定されており、更に、別名称が設定されていない回線に対しては、“　”として登録されていることが分る。この別名称は操作者により回線毎に任意な名称が設定可能である。また操作者別での設定も可能である。
【００４２】
尚、本実施の形態では、情報管理ＤＢ１０７２内の登録ファイル１０７３に設定情報を登録しているが、オペレーティングシステムのレジストリや外部記憶装置、メモリ等にも同様の設定情報の登録が行えることは言うまでもない。
【００４３】
次に、図２におけるステップＳ２０２２である回線選択表示処理について、図４を用いて説明する。
【００４４】
尚、図２におけるステップＳ２０２２は、図８のデフォルトのリスティング状態から、先の図２におけるステップＳ２０２１にて回線に別名称を設定することにより、図１０に示すリスティング状態へ変更する処理を意味している。
【００４５】
まず、最初に、情報管理ＤＢ１０７２へアクセスし、登録ファイル１０７３から回線別名称に関する情報を確認する（図４のステップＳ４０１）。
【００４６】
本例では、先の図２のステップＳ２０２１において、図６に示した通り、回線２と回線３には別名称が設定されており、これら以外の回線には別名称が設定されていないこととする。
【００４７】
次に、任意の回線に対して別名称が登録されているか否かを判定し（図４のステップＳ４０２）、登録されていると判定された場合は、情報管理ＤＢ１０７２内の登録ファイル１０７３から、別名称が設定されている回線に対する、その設定されている別名称の情報を取得する（図４のステップＳ４０３）。
【００４８】
本例では、回線２と回線３の別名称である＜外線用＞、＜内線用＞という設定情報を取得するものとする。
【００４９】
続いて、別名称が設定されている回線に対して、その回線名称を設定された別名称に置き換える（図４のステップＳ４０４）。
【００５０】
本例では、回線２と回線３の名称が、それぞれ、＜回線２＞から＜外線用＞へ、＜回線３＞から＜内線用＞へ、それぞれ置き換わることを意味する。
【００５１】
そして、図１０に示すように、任意の回線については、別名称に置き換わった状態で、リスティング表示する（図４のステップＳ４０５）。このリスティング表示処理が終了した場合は、本処理動作（図２のステップＳ２０２２）を終了する。
【００５２】
また、前記ステップＳ４０２において、登録されていないと判定された場合は、前記図４のステップＳ４０４をスキップして図４のステップＳ４０５へ進む。
【００５３】
尚、リスティング表示自体は、図７の回線選択コントロールのリスティング表示ボタン［▼］７０２を押下することにより表示されることは言うまでもない。
【００５４】
更には、本例のリスティング表示を実現する回線選択コントロールは、その表示手段としては一例に過ぎないことは言うまでもない。
【００５５】
次に、図２のステップＳ２０２３である回線選択処理について、図５を用いて説明する。
【００５６】
まず、使用する回線を選択する（ステップＳ５０１）。
【００５７】
本例では、図７に示す回線選択コントロールにおいて、図１０に示すようなリスティング表示を行い、＜外線用＞を選択したものとする。
【００５８】
次に、選択した回線が別名称であるか否かを判定するために、選択回線の登録情報を情報管理ＤＢ１０７２内の登録ファイル１０７３へアクセスし、選択した回線の情報を取得する（ステップＳ５０２）。
【００５９】
本例では、先に前記ステップＳ５０１において＜外線用＞を選択したことにより、登録ファイル１０７３の一例を示す図６へアクセスし、＜外線用＞と設定されている回線が回線２であることの情報を取得することを意味する。
【００６０】
次に、選択した回線が別名称であるか否かを判定し（ステップＳ５０３）、選択した回線が別名称であると判定された場合は、その選択した回線の本来の回線が何であるのかを確定する（ステップＳ５０４）。
【００６１】
本例では、選択した回線の本来の回線が回線２であることを確定することを意味する。
【００６２】
一方、前記ステップＳ５０２において、選択した回線が別名称ではないと判定された場合或いは前記ステップＳ５０４の処理が終了後は、いずれも本処理動作（図２のステップＳ２０２３）を終了する。
【００６３】
次に、図２に示す通り、図２のステップＳ２０２３において選択した回線を伴った通常の印刷処理、即ち、第一印刷装置２００において処理可能な通常の印刷データ形式のジョブを形成し、このジョブが第一印刷装置２００へ送付される。この第一印刷装置２００では、送付されたジョブを解析し、印刷処理ではなくファクシミリ送信の指示であることを判別し、印刷データをファクシミリ用の画像データに変換し指定された回線を使用して、ファクシミリ通信手順に従って第二の印刷装置３００へデータを送付する。
【００６４】
（他の実施の形態）
本発明のプログラムは、ＦＤ（フロッピー（登録商標）・ディスク）、ＣＤ−ＲＯＭ、ＲＯＭ、ＤＶＤ、磁気テープ等の記録媒体に記憶して、クライアント・コンピュータではなく、サーバ・コンピュータの記憶媒体読取装置により読み取ることも可能である。
【００６５】
また、本発明は、複数の機器から構成されるシステムに適用しても、一つの機器からなる装置に適用しても良い。
【００６６】
更に、本発明は、システム或いは装置にプログラムを供給することによって実施される場合にも適用される。
【００６７】
この場合、本発明に係わるプログラムを格納した記憶媒体が、本発明を構成することになる。そして、前記記憶媒体からプログラムをシステム或いは装置に読み込ませることによって、そのシステム或いは装置が予め定められた方法で動作するものである。
【００６８】
また、接続形態として、図１においては、クライアント・コンピュータの他に、クライアント／サーバ・システム、即ち、クライアント・コンピュータ１００の回線制御部１０７１、情報管理ＤＢ１０７２を分散して機能することも可能である。
【００６９】
また、情報管理ＤＢ１０７２は、第一印刷装置２００の中にあり、情報管理ＤＢ１０７２とのアクセスを第一の通信回線４００を介して双方に、クライアント・コンピュータ１００と第一の印刷装置２００との間で情報の制御を行うことも可能である。
【００７０】
また、上述した一実施の形態においては、情報管理ＤＢ１０７２内の登録ファイル１０７３に設定情報を登録している場合について説明したが、本発明はこれに限られるものではなく、オペレーティングシステムのレジストリや外部記憶装置、メモリ等にも同様の設定情報を登録することも可能である。
【００７１】
また、上述した一実施の形態の図２におけるステップＳ２０２１は、その後のステップＳ２０２２以降とは分離独立させ、非同期に回線に別名称を設定することも可能である。
【００７２】
【発明の効果】
以上のように本発明によれば、ユーザビリティに富んだ回線制御を行うことができるという効果を奏する。
【図面の簡単な説明】
【図１】本発明の一実施の形態に係る回線制御装置を有する印刷システムの構成を示すブロック図である。
【図２】本発明の一実施の形態に係る回線制御装置におけるデータ制御部の動作の流れを示すフローチャートである。
【図３】本発明の一実施の形態に係る回線制御装置のクライアント・コンピュータにおける回線別名称設定処理動作の流れを示すフローチャートである。
【図４】本発明の一実施の形態に係る回線制御装置のクライアント・コンピュータにおける回線選択表示処理動作の流れを示すフローチャートである。
【図５】本発明の一実施の形態に係る回線制御装置のクライアント・コンピュータにおける回線選択処理動作の流れを示すフローチャートである。
【図６】本発明の一実施の形態に係る回線制御装置のクライアント・コンピュータにおける回線別名称に関する情報を管理する情報管理ＤＢの中の登録ファイル一覧表の一例を示す図である。
【図７】本発明の一実施の形態に係る回線制御装置のクライアント・コンピュータにおける回線選択ユーザインタフェースの一例を示す図である。
【図８】従来例を兼ねた本発明の一実施の形態に係る回線制御装置のクライアント・コンピュータにおける回線別名称を設定していない状態での回線選択リスティングの一例を示す図である。
【図９】本発明の一実施の形態に係る回線制御装置のクライアント・コンピュータにおける回線別名称を設定するためのユーザインタフェースの一例を示す図である。
【図１０】本発明の一実施の形態に係る回線制御装置のクライアント・コンピュータにおける回線別名称を設定した後の回線選択リスティングの一例を示す図である。
【図１１】従来例の回線制御装置のクライアント・コンピュータにおける回線固定別名称が設定されている状態での回線選択リスティングの一例を示す図である。
【符号の説明】
１００　　　クライアント・コンピュータ
１０１　　　表示部
１０２　　　入力部
１０３　　　入出力データ制御部
１０４　　　インタフェース制御部
１０５　　　記憶媒体読取部
１０６　　　記憶部
１０７　　　データ制御部
１０８　　　中央演算処理部
１０９　　　システム・バス
２００　　　第一の印刷装置
２０１　　　コントローラ部
２０２　　　エンジン部
３００　　第二の印刷装置
３０１　　　コントローラ部
３０２　　　エンジン部
４００　　第一の通信回線
５００　　第二の通信回線
１０７１　回線制御部
１０７２　情報管理ＤＢ
１０７３　登録ファイル
【図１】
2004056731.tif 000003
【図２】
2004056731.tif 000004
【図３】
2004056731.tif 000005
【図４】
2004056731.tif 000006
【図５】
2004056731.tif 000007
【図６】
2004056731.tif 000008
【図７】
2004056731.tif 000009
【図８】
2004056731.tif 000010
【図９】
2004056731.tif 000011
【図１０】
2004056731.tif 000012
【図１１】
2004056731.tif 000013